(57)【要約】【課題】反射水の円滑な駆け上がりを阻害することなく、舗装表面と接触による外力を逃がして傾斜案内板の破損を回避する。【解決手段】移動可能なフレームに、排水性舗装１の表面に対して斜めに洗浄水４を噴射する噴射ノズル１２と、洗浄水４が舗装表面で反射して飛び上がる位置に設けられた、舗装表面で反射した洗浄水４をその運動エネルギーで内部に導くように傾斜した傾斜案内板１５と、回収した洗浄水４を内部に貯める回収樋１６と、傾斜案内板１５から回収樋１６まで洗浄水４をその運動エネルギーで導く導入板１７と、傾斜案内板１５の下端部が排水性舗装１の表面に近接し、上端部が導入板１７上に位置するように傾斜案内板１５を揺動する揺動リブ１８とを備えた。【選択図】    図３
2004162290.tif 000002
【特許請求の範囲】
【請求項１】
移動可能なフレームに、排水性舗装（１）の表面に対して斜めに洗浄水（４）を噴射する噴射ノズル（１２）と、
該洗浄水（４）が舗装表面で反射して飛び上がる位置に設けられた、舗装表面で反射した洗浄水（４）をその運動エネルギーで内部に導くように傾斜した傾斜案内板（１５）と、
回収した洗浄水（４）を内部に貯める回収樋（１６）と、前記傾斜案内板（１５）から回収樋（１６）まで洗浄水（４）をその運動エネルギーで導く導入板（１７）と、
前記傾斜案内板（１５）の下端部が排水性舗装（１）の表面に接触し、上端部が導入板（１７）上に位置するように傾斜案内板（１５）を揺動する揺動リブ（１８）と、を備えた、ことを特徴とする排水性舗装の機能回復装置。
【請求項２】
前記傾斜案内板（１５）の下端部が前記排水性舗装（１）の表面に押し付けられるように、前記揺動リブ（１８）を排水性舗装の表面に引き寄せる方向へ付勢するように取り付けた引張りバネ（２２）を、更に備えた、ことを特徴とする請求項１に記載の排水性舗装の機能回復装置。
【請求項３】
前記傾斜案内板（１５）の下面は、前記導入板（１７）の下端縁にほぼ接するように、前記軸取り付け部を中心点とした湾曲形状に形成した、ことを特徴とする請求項１又は２に記載の排水性舗装の機能回復装置。
【請求項４】
前記傾斜案内板（１５）が極端に跳ね上がらないように、前記揺動リブ（１８）の軸取り付け部の周囲に、該揺動リブ（１８）の回動を規制するストッパ（２３）を設けた、ことを特徴とする請求項１、２又は３に記載の排水性舗装の機能回復装置。
【請求項５】
前記引張りバネ（２２）が揺動リブ（１８）を引っ張り過ぎないように、前記引張りバネ（２２）の引っ張る距離を規制するストッパ（２４）を前記軸取り付け部の周囲に設けた、ことを特徴とする請求項１に記載の排水性舗装の機能回復装置。
【発明の詳細な説明】
【０００１】
【発明の属する技術分野】
本発明は、走行面に排水可能な空隙を有する排水性舗装の機能回復装置に関する。
【０００２】
【従来の技術】
排水性舗装とは、走行面に排水可能な空隙を有する舗装をいう。かかる排水性舗装は、降雨時に雨水を空隙を通して排水することにより、走行車両のハイドロプレーニング現象を防止するとともに、車両走行時のタイヤの騒音を低減する機能も併せもっている。
【０００３】
しかし、かかる排水性舗装は長期間の使用により走行面の空隙に土砂や粉塵等が詰まり、排水性能、騒音低減性能等が低下する。そこで、排水性舗装の機能を回復する手段が種々、提案されている。
従来、提案されている機能回復手段は、ブラシ、超音波振動、高圧水等を用いた物理的手段と、界面活性剤等を用いた化学的手段とに大別される。このうち、最も効果的な手段は、高圧水を用いた手段であると考えられている。
【０００４】
図８は、高圧水を用いた排水性舗装の機能回復装置の代表的な模式図である。この例では、排水性舗装１に向けてポンプ５２とノズル５３で高圧水５４を噴射し、この圧力で浮き上がった空隙詰まり物と水を吸引手段５５で吸引し、これをサブタンク５６を介して汚水タンク５７ａに回収するものである。なお、この図で、５７ｂは清水タンク、５８はサブタンク５６内を減圧するためのブロアである。
【０００５】
図９は、同様に高圧水を用いた排水性舗装の機能回復装置の別の例である。この装置は、［特許文献１］の「舗装の目詰まり物の除去装置」に開示されたものであり、排水性舗装１の表面に向けて配置された第１噴射ノズル５３ａと、その噴射方向の延長線と舗装表面より下方で交差するように舗装表面に向けて配置された第２噴射ノズル５３ｂとを有し、圧力水５４を噴射する噴射手段と、舗装表面に浮き上がった空隙詰まり物を水と共に吸引する吸引手段５５とを備え、同時に振動体５９により圧力水５４に振動を付与するものである。
【０００６】
【特許文献１】
特開平９−１００５１９号公報
【０００７】
【発明が解決しようとする課題】
すなわち、この装置では、密閉状態に近づけた洗浄空間をブロア、真空発生装置等の吸引手段５５で減圧して、舗装表面に浮き上がった空隙詰まり物を水と共に吸引して洗浄水を回収している。
【０００８】
しかし、そのため、以下の問題点があった。
（１）吸引のため大がかりな吸引装置（ブロア、真空発生装置等）が必要であり、装置の製造コストが高い。また、吸引装置の運転動力が大きく、そのためランニングコストも高い。
（２）吸引装置の性能を維持するために、洗浄空間を密閉状態に近づける必要があり、そのシールのため低速（例えば１ｋｍ／ｈ以下）で運転しなければならない。また、たとえ密閉状態が良好であっても、空隙詰まり物を含んだ水を吸引するには、ある程度の吸引時間が必要であるため、低速運転により単位面積あたりの吸引時間を確保しなければならない。その結果、この装置で排水性舗装の機能回復を実施する際には、車道の交通規制が不可欠となる。
また、交通規制を回避するために、例えば６ｋｍ／ｈ以上の速度で装置を移動させると、洗浄空間の気密性能が低下し、単位面積あたりの吸引時間も短くなるので、十分な機能回復を行うことができなくなる。
【０００９】
上述した問題点を解決するために、本発明の出願人は先に、「排水性舗装の機能回復装置」を創案し出願した（特願２００１−１５４８６１、未公開）。
この装置は、図１０に模式的に示すように、移動可能なフレームに、排水性舗装１の表面に対して斜めに洗浄水５４を噴射する噴射ノズル６２と、該洗浄水が舗装表面で反射して飛び上がる位置に設けられた、路面を反射して飛び上がった該洗浄水を捕捉するための槽を有する洗浄水回収装置６４とを備えたものであり、洗浄水自体の運動エネルギーにより洗浄水を舗装表面に浮き上がった空隙詰まり物と共に洗浄水回収装置６４に導くことができる。
【００１０】
この空隙への詰まり物と共に洗浄水を回収するときに、導入板１７と舗装表面の間に介在した傾斜案内板３１を用いている。この傾斜案内板３１は、その上端部を導入板１７と可動状態で接続し、下端部を舗装表面に接触させていた。この傾斜案内板３１の具体的な構造としては、図１１に示すような構造のものが提案されている。この傾斜案内板３１は、導入板１７の端部と傾斜案内板３１の上端部とをヒンジ３２で接続し、かつ導入板１７の下面から下方へ突出した突片３３と、同様に傾斜案内板３１の下面から下方へ突出した突片３４の間に引っ張りバネ３５を掛け渡し、傾斜案内板３１の下端部が舗装表面に常時接触するようになっている。
【００１１】
【発明が解決しようとする課題】
しかし上記特願２００１−１５４８６１にて出願した機能回復装置は、舗装表面と接触した状態で走行するために、洗浄水の噴射方向が進行方向と逆になる向きに取り付けると、傾斜案内板の下端部が舗装表面の凹凸にひっかかりやすい。特に、マンホールのような固く、突出したものに傾斜案内板３１の下端部がぶつかると、そこが破損しやすいという問題を有していた。
【００１２】
なお、傾斜案内板３１の下端部を上向きに湾曲させた、いわゆるスキー板の先端のような形状にすることも考えられる。このような形状では、舗装表面との接触による外力を逃がし、傾斜案内板３１の下端部の破損は回避することができるが、反射水を円滑に回収することができないという問題を有していた。
【００１３】
本発明は、上述した問題点を解決するために創案されたものである。すなわち本発明の目的は、洗浄水の噴射方向が進行方向と逆になる向きに取り付けても、反射水の円滑な駆け上がりを阻害することなく、舗装表面との接触による外力を逃がして傾斜案内板の破損を回避することができる排水性舗装の機能回復装置を提供することにある。
【００１４】
【課題を解決するための手段】
本発明によれば、移動可能なフレームに、排水性舗装（１）の表面に対して斜めに洗浄水（４）を噴射する噴射ノズル（１２）と、該洗浄水（４）が舗装表面で反射して飛び上がる位置に設けられた、舗装表面で反射した洗浄水（４）をその運動エネルギーで内部に導くように傾斜した傾斜案内板（１５）と、回収した洗浄水（４）を内部に貯める回収樋（１６）と、前記傾斜案内板（１５）から回収樋（１６）まで洗浄水（４）をその運動エネルギーで導く導入板（１７）と、前記傾斜案内板（１５）の下端部が排水性舗装（１）の表面に接触し、上端部が導入板（１７）上に位置するように傾斜案内板（１５）を揺動する揺動リブ（１８）と、を備えた、ことを特徴とする排水性舗装の機能回復装置が提供される。
【００１５】
前記傾斜案内板（１５）の下端部が前記排水性舗装（１）の表面に押し付けられるように、前記揺動リブ（１８）を排水性舗装の表面に引き寄せる方向へ付勢するように取り付けた引張りバネ（２２）を、更に備えた、ものである。
前記傾斜案内板（１５）の下面は、前記導入板（１７）の下端縁にほぼ接するように、前記軸取り付け部を中心点とした湾曲形状に形成した、ものでもよい。
【００１６】
上記本発明の構成では、噴射ノズル（１２）が排水性舗装（１）の表面に対して斜めに洗浄水（４）を噴射するので、この洗浄水（４）が反射して飛び上がる位置に洗浄水回収装置（１４）を設けることで、洗浄水（４）自体の運動エネルギーにより洗浄水（４）を舗装表面に浮き上がった空隙詰まり物と共に洗浄水回収装置（１４）に導くことができる。
【００１７】
また、洗浄水回収装置（１４）を構成する傾斜案内板（１５）で舗装表面で反射した洗浄水（４）をその運動エネルギーで内部に導き、導入板（１７）で傾斜案内板（１５）から回収樋（１６）まで洗浄水（４）をその運動エネルギーで導き、回収樋（１６）の内部に回収した洗浄水（４）を貯めることにより、洗浄水（４）を吸引装置を用いることなく洗浄水（４）の運動エネルギーのみで、低コストかつ低いランニングコストで回収することができる。
【００１８】
本発明の傾斜案内板（１５）は、前記導入板（１７）と噴射ノズル（１２）との間を揺動する揺動リブ（１８）に支持されているので、舗装表面の膨らみ（１ａ）又は凹み（１ｂ）等の起伏に容易に追従することができる。この傾斜案内板（１５）は、舗装面が平坦な状態において、その下面が導入板（１７）の下端縁にほぼ接するように形成されている。特に、傾斜案内板（１５）を支持する揺動リブ（１８）部分が、舗装表面の膨らみ（１ａ）に接触すると、この揺動リブ（１８）部分と共に傾斜案内板（１５）を跳ね上げられるようになっている。すなわち、マンホールや舗装継ぎ目等のような、揺動リブ間隔より幅広の段差に対しては、傾斜案内板（１５）の下端部が舗装表面の膨らみ（１ａ）に直接ぶつからないので、舗装表面と接触による外力を逃がして傾斜案内板（１５）の破損を回避することができる。
【００１９】
一方、舗装表面の凹み（１ｂ）に対しては、揺動リブ（１８）に取り付けた引張りバネ（２２）により、傾斜案内板（１５）の下端部がその排水性舗装（１）の表面に素早く追従するので、反射水の円滑な駆け上がりを阻害することはない。
【００２０】
また、傾斜案内板（１５）が極端に跳ね上がらないように、前記揺動リブ（１８）の軸取り付け部の周囲に、該揺動リブ（１８）の回動を規制するストッパ（２３）を設けた。また、前記引張りバネ（２２）が揺動リブ（１８）を引っ張り過ぎないように、前記引張りバネ（２２）の引っ張る距離を規制するストッパ（２４）を前記軸取り付け部の周囲に設けた。このように、傾斜案内板（１５）は不用意に跳ね上がらないようになっているので、洗浄水回収装置（１４）自体の破損を防止することができる。
【００２１】
更に、傾斜案内板（１５）の下端部が常に路面と接触するので、下端部と路面の隙間からの飛散水を低減し、洗浄水のリサイクル率を高めることができる。
【００２２】
【発明の実施の形態】
以下、本発明の好ましい実施形態を図面を参照して説明する。なお、各図において、共通する部分には同一の符号を付し重複した説明を省略する。
【００２３】
図１は本発明の排水性舗装の機能回復装置の模式図である。図２は洗浄水回収装置を示す断面図である。
【００２４】
本発明の排水性舗装の機能回復装置１０は、複数列（この例では３列）の噴射ノズル１２とこれに対向配置された複数（この例では３つ）の洗浄水回収装置１４、車輪１１を更に備えたものである。噴射ノズル１２は、吐出ポンプで加圧して供給された洗浄水４を、排水性舗装１の表面に対して斜めに噴射する。噴射ノズル１２の列は、この例では進行方向（洗浄方向）に直交する方向に設けられている。また、噴射ノズル１２は、進行方向と逆向きに取り付けられている。洗浄水回収装置１４は、洗浄水４が舗装表面で反射して飛び上がる位置に設けられている。
【００２５】
また、機能回復装置１０は、洗浄水回収装置１４の回収樋１６に溜まった洗浄水４を水タンクまでくみ上げる回収ポンプを備えている。
【００２６】
図１において、３対の噴射ノズル１２と洗浄水回収装置１４とは、洗浄方向（進行方向）に直列に配置され、先行する対で回収できなかった洗浄水４及び洗浄により浮き上がった空隙詰まり物を、後続する２対の噴射ノズル１２と洗浄水回収装置１４で回収して、高速運転時の洗浄効果と洗浄水４の回収率の低下を補うようになっている。
【００２７】
図２に示すように、洗浄水回収装置１４は、傾斜案内板１５、回収樋１６及び導入板１７からなる。傾斜案内板１５は、舗装表面で反射した洗浄水４をその運動エネルギーで内部に導くように噴射ノズル１２側が低くなるように傾斜している。回収樋１６は、回収した洗浄水を内部に貯めるように端部が閉じられている。導入板１７は、傾斜案内板１５から回収樋１６まで洗浄水４をその運動エネルギーを利用して導くようになっている。
【００２８】
図３は本発明の傾斜案内板を示す断面図である。図４は図３のＡ−Ａ断面図である。図５は舗装表面の膨らみに接触している状態の傾斜案内板を示す断面図である。図６は舗装表面の凹みに接触している状態の傾斜案内板を示す断面図である。図７は、傾斜案内板の下面が導入板の下端にほぼ接するように、軸取り付け部を中心点とした湾曲形状に形成した例を示す断面図である。
【００２９】
本発明の傾斜案内板１５は、導入板１７に固定したものではなく、洗浄水回収装置１４側において揺動するように軸着された揺動リブ１８に支持されている。この揺動リブ１８は、ほぼ台形状になり、その底部に傾斜案内板１５をＴ字になるように取り付けてある。この揺動リブ１８は上部に、軸取り付け孔を有する。また揺動リブ１８に連続してリブアーム１９を形成したものである。この揺動リブ１８は、軸受２０に対して揺動リブ１８上端部をピン２１で軸着されたものである。この揺動リブ１８は、導入板１７と噴射ノズル１２との間を揺動するようになっている。
【００３０】
揺動リブ１８は、排水性舗装の表面へ引き寄せる方向へ付勢するように引張りバネ２２をリブアーム１９と洗浄水回収装置１４との間に取り付けてある。これは傾斜案内板１５の下端部が排水性舗装１の表面に常に接触するようにしたものである。そこで、舗装表面の凹み１ｂに対しては、揺動リブ１８に取り付けた引張りバネ２２により、傾斜案内板１５の下端部がその排水性舗装１の表面に素早く追従するので、反射水の円滑な駆け上がりを阻害することはない。
【００３１】
このように構成した傾斜案内板１５では、噴射ノズル１２が排水性舗装１の表面に対して斜めに洗浄水４を噴射すると、洗浄水４が反射して飛び上がる位置に洗浄水回収装置１４を設けることで、洗浄水４自体の運動エネルギーにより洗浄水４を舗装表面に浮き上がった空隙詰まり物と共に洗浄水回収装置１４に導くことができる。
【００３２】
本発明の傾斜案内板１５により、舗装表面で反射した洗浄水４をその運動エネルギーで内部に導き、導入板１７で回収樋１６まで洗浄水４をその運動エネルギーで導き、回収樋１６の内部に回収した洗浄水４を貯めることにより、洗浄水４を吸引装置を用いることなく洗浄水４の運動エネルギーのみで回収することができる。
【００３３】
特に、本発明の傾斜案内板１５は、導入板１７と噴射ノズル１２との間を揺動する揺動リブ１８に支持されているので、舗装表面の凹み又は膨らみなどの起伏に容易に追従することができる。この傾斜案内板１５は、その下面が導入板１７の下端縁にほぼ接するように形成されているので、反射水の円滑な駆け上がりを可能にする。傾斜案内板１５を支持する揺動リブ１８部分が、舗装表面の膨らみ１ａに接触すると、この揺動リブ１８部分と共に傾斜案内板１５が跳ね上げられるので、マンホールや舗装継ぎ目等のような、揺動リブ間隔より幅広の段差に対しては、傾斜案内板１５の下端部が舗装表面の膨らみ１ａに直接ぶつからず、舗装表面との接触による外力を逃がして傾斜案内板１５の破損を回避することができる。
【００３４】
また、傾斜案内板１５が極端に跳ね上がらないように、揺動リブ１８の軸受２０に、揺動リブ１８の回動を規制するストッパ２３を設けたので、傾斜案内板１５は不用意に跳ね上がらない。更に、引張りバネ２２が揺動リブ１８を引っ張り過ぎないように、引張りバネ２２の引っ張る距離を規制するストッパ２４を軸受２０に設けた。このように、傾斜案内板１５は不用意に跳ね上がらないようになっているので、洗浄水回収装置１４自体の破損を防止することができる。
【００３５】
更に、傾斜案内板１５の下端部が常に路面と接触するので、下端部と路面の隙間からの飛散水を低減し、洗浄水４のリサイクル率を高めることができる。
【００３６】
なお、本発明は上述した実施形態に限定されず、本発明の要旨を逸脱しない範囲で種々変更できることは勿論である。
【００３７】
【発明の効果】
上述したように、本発明の排水性舗装の機能回復装置は、傾斜案内板が揺動自在に支持されているので、舗装表面の凹み又は膨らみなどの起伏に容易に追従することができる。特に、マンホールや舗装継ぎ目等のような、揺動リブ間隔より幅広の段差に対しては、傾斜案内板を支持する揺動リブ部分が、舗装表面の膨らみに接触して、この揺動リブ部分と共に傾斜案内板を跳ね上げられるようになっているので、傾斜案内板の下端部が舗装表面の膨らみに直接ぶつからないので、舗装表面との接触による外力を逃がして傾斜案内板の破損を回避することができる、等の優れた効果を有する。
【図面の簡単な説明】
【図１】本発明の排水性舗装の機能回復装置の模式図である。
【図２】洗浄水回収装置を示す断面図である。
【図３】本発明の傾斜案内板を示す断面図である。
【図４】図３のＡ−Ａ断面図である。
【図５】舗装表面の膨らみに接触している状態の傾斜案内板を示す断面図である。
【図６】舗装表面の凹みに接触している状態の傾斜案内板を示す断面図である。
【図７】傾斜案内板の下面が導入板の下端にほぼ接するように、軸取り付け部を中心点とした湾曲形状に形成した例を示す断面図である。
【図８】従来の排水性舗装の機能回復装置の模式図である。
【図９】従来の排水性舗装の機能回復装置の別の模式図である。
【図１０】未公開の先行出願による機能回復装置の模式図である。
【図１１】未公開の先行出願による機能回復装置の傾斜案内板を示す断面図である。
【符号の説明】
１  排水性舗装
４  高圧水（洗浄水）
１０  排水性舗装機能回復装置
１１  車輪
１２  噴射ノズル
１４  洗浄水回収装置
１５  傾斜案内板
１６  回収樋
１７  導入板
１８  揺動リブ
２２  引張りバネ
２３  ストッパ
２４  ストッパ
【図１】
2004162290.tif 000003
【図２】
2004162290.tif 000004
【図３】
2004162290.tif 000005
【図４】
2004162290.tif 000006
【図５】
2004162290.tif 000007
【図６】
2004162290.tif 000008
【図７】
2004162290.tif 000009
【図８】
2004162290.tif 000010
【図９】
2004162290.tif 000011
【図１０】
2004162290.tif 000012
【図１１】
2004162290.tif 000013